(57)【要約】      （修正有）【課題】袋の口の開閉を容易化、迅速化できるようにすると共に、洗濯、乾燥時における締結用具の絡み付きを防止するランドリーバッグを提供する。【解決手段】袋１の口１ａの周りに口１ａを閉じるための締結用具２を備えて形成する。締結用具２を、帯片でループ状に形成すると共に、口１ａの中心周りに９０度ずつ間隔をあけて計４個設ける。この場合、締結用具２を、袋１と同一の材質で形成するのが良い。また、締結し合う対向位置の締結用具２の内の一方の締結用具が、他方の締結用具との解けを防止する部材を備えて形成されているのでも良い。【選択図】図１
0003197469.tif 000002
【実用新案登録請求の範囲】
【請求項１】
袋の口の周りに口を閉じるための締結用具を備えて形成されているランドリーバッグであって、上記の締結用具が、帯片でループ状に形成されていると共に、口の中心周りに９０度ずつ間隔をあけて計４個設けられていることを特徴とするランドリーバッグ。
【請求項２】
請求項１記載のランドリーバッグであって、締結用具が、袋と同一材質で形成されていることを特徴とするランドリーバッグ。
【請求項３】
請求項１又は２記載のランドリーバッグであって、締結し合う対向位置の締結用具の内の一方の締結用具が、他方の締結用具との解けを防止する部材を備えて形成されていることを特徴とするランドリーバッグ。
【考案の詳細な説明】
【技術分野】
【０００１】
本考案は、バッグに関し、更に詳しくはリネンサプライ業やクリーニング業において、洗濯物の回収用に使用するランドリーバッグに関する。
【背景技術】
【０００２】
従来、この種のバッグとしては、例えば特許文献１に記載されているものがある。この従来品は、同文献に示されるように、袋の口を閉じるための紐を備えて形成されている。
【０００３】
従って、従来品は、袋の口を開閉する際に、紐を結わえたり、解いたりする操作を伴うものであった。その結果、従来品を使用すると、袋の口の開閉に手間暇がかかり、洗濯物の出し入れ等の作業を効率良く行うことができない、という問題点があった。
【０００４】
而して、この種のバッグは、汚れたシーツやタオルなどを回収するのに使用され、トラック等の荷台に積まれて運搬されるため、汚れ易いものである。従って、この種のバッグは、定期的に洗濯する必要があるため、洗濯作業等が容易になるよう形成されているのが望ましい。
【０００５】
しかるに従来品は、上記の通り、袋の口を紐で閉じる構造であったから、紐が洗濯時に絡み付くことがないよう、事前に紐を袋の口から取り外したり、洗濯後に紐を取り付け直す必要があった。
従って、従来品を使用すると、袋を洗濯する際に、この種の手間暇がかかったから、使い勝手が悪い、という問題点があった。
【先行技術文献】
【特許文献】
【０００６】
【特許文献１】特開２００３−１３５８８６号公報
【考案の概要】
【考案が解決しようとする課題】
【０００７】
本考案は、このような従来技術の問題点に鑑み、提案されたものである。
従って、本考案の解決しようとする技術的課題は、袋の口の開閉を容易化、迅速化できると共に、口を閉じるための締結用具を取り外すことなく洗濯を可能にし、メンテナンスが容易になるよう形成したランドリーバッグを提供することにある。
【課題を解決するための手段】
【０００８】
本考案は、上記の課題を解決するために、次のような技術的手段を採る。
即ち、本考案は、図１等に示されるように、袋１の口１ａの周りに口１ａを閉じるための締結用具２を備えて形成されているランドリーバッグであって、上記の締結用具２が、帯片でループ状に形成されていると共に、口１ａの中心周りに９０度ずつ間隔をあけて計４個設けられていることを特徴とする（請求項１）。
【０００９】
この場合、本考案のランドリーバッグは、締結用具２が、袋１と同一材質で形成されているのが好ましい（請求項２）。
【００１０】
なぜならこれによると、本考案品を洗浄するとき、袋１と締結用具２の乾き時間を同じにでき、保守、管理が容易になるからである。
【００１１】
また本考案品は、図７等に示されるように、締結し合う対向位置の締結用具２の内の一方の締結用具２ａが、他方の締結用具２ｂとの解けを防止する部材３を備えて形成されているのが好ましい（請求項３）。
【００１２】
なぜならこれによると、締結用具２が緩んでも、部材３によって口１ａが完全に開くことを防止でき、洗濯物の飛散を阻止できるからである。
【考案の効果】
【００１３】
本考案のランドリーバッグは、このように締結用具が、帯片でループ状に形成されていると共に、口の中心周りに９０度ずつ間隔をあけて計４個設けられている。
【００１４】
従って、本考案は、対向位置の一方の締結用具を、他方の締結用具の輪の中に通し、両者を絡めて締結することにより、袋の口を、簡単、迅速に閉じることができる。
また本考案は、締結用具が帯片のため、袋の口を開けるときも、締結用具を解き易い。
【００１５】
また本考案は、上記の通り、締結用具が帯片のため、洗濯時に締結用具の絡み付きを防止できる。従って、これによれば、袋を洗濯する際の事前準備や事後処理にかかる手間暇を一掃できる。
【図面の簡単な説明】
【００１６】
【図１】本考案のランドリーバッグの好適な一実施形態を示す斜視図である。
【図２】同上バッグの開口時の平面図である。
【図３】同上バッグの使用状態を説明するための斜視図である。
【図４】同上バッグの使用状態を説明するための斜視図である。
【図５】同上バッグの使用状態を説明するための斜視図である。
【図６】同上バッグの使用状態を説明するための斜視図である。
【図７】同上バッグの他の実施形態を示す斜視図である。
【図８】図７の本考案品の使用状態を説明するための要部斜視図である。
【図９】図７の本考案品の使用状態を説明するための要部斜視図である。
【図１０】図７の本考案品の使用状態を説明するための要部斜視図である。
【図１１】締結用具の他の取付例を示す要部正面図である。
【考案を実施するための形態】
【００１７】
以下、本考案の好適な一実施形態を、添付図面に従って説明する。
本考案のランドリーバッグは、図１等に示されるように、袋１の口１ａの周りに口１ａを閉じるための締結用具２を備えて形成されている。袋１は、例えばポリエチレンなどの合成樹脂材で非通水性に形成されている。
【００１８】
上記の締結用具２は、帯片でループ状に形成されている。またこの締結用具２は、口１ａの中心周りに９０度ずつ間隔をあけて計４個設けられている。
【００１９】
締結用具２としての帯片の両端は、袋１の上縁部１ｂに、この実施形態では重合状に縫い付けられている。なお、帯片は、この実施形態では長さが約３０ｃｍに選定され、二つ折りすると、口１ａの上縁部１ｂから１５ｃｍほど突き出すように設けられている。
【００２０】
また締結用具２としての帯片は、この実施形態では袋１と同じ合成樹脂材で形成されている。本考案の場合、帯片の材質は所定の強度があれば自由であるが、洗濯後に乾き易く、また帯片同士を締結する際に、輪の形を作り易く、挿し込み操作や締め込み操作をし易い材質で形成されているのが望ましい。
【００２１】
次に、この実施形態の本考案品の使用例を説明する。
【００２２】
使用者は、先ず、図３に示されるように、対向位置の一方の締結用具２ａを、他方の締結用具２ｂの輪の中に挿し入れる。次に、他方の締結用具２ｂの先端２ｂ１を、一方の締結用具２ａの輪の中へ、上から下に向けて挿し込む（図４参照）。
【００２３】
その後、使用者は、他方の締結用具２ｂを強く引き抜く。これにより、対向位置の一方の締結用具２ａと他方の締結用具２ｂが、締結される。
【００２４】
また使用者は、図４において、未だ結ばれていない、９０度ずらされた対向位置の締結用具２ｃ、２ｄを、同様に操作して結ぶ。これにより、図５に示されるように、締結用具２ａ、２ｂ、２ｃ、２ｄが十字状に渡されて袋１の口１ａが閉塞される。
【００２５】
なお、本考案品は、口１ａを閉じると、このように締結用具２ａ、２ｂ、２ｃ、２ｄが十字状に形作られる。従って、使用者は、袋１を運搬するとき、図５、図６に示されるように、口１ａに手４を入れ、締結用具２ａ、２ｂ、２ｃ、２ｄの交差箇所を、把手として利用することができる。
【００２６】
以上の処において、本考案は、図７等に示されるように、締結し合う対向位置の締結用具２の内の一方の締結用具２ａが、他方の締結用具２ｂとの解けを防止する部材３を備えて形成されているのでも良い。
なお、この場合、部材３は、締結操作に支障がないよう、しかも解けを確実に防止できるように形成されているのであれば、その配設位置、長さ、材質、構造等は自由である。
【００２７】
而して、この実施形態の場合、部材３は、約７ｃｍの硬質性のゴム板材が使用されている。この部材３としてのゴム板材は、袋１の上縁部１ｂの取付箇所から離された、一方の締結用具２ａの中央位置に、締結用具２ａの長手方向に沿って延びるよう、締結用具２ａに内蔵されている。なお、締結用具２ａの全長は、この実施形態では３０ｃｍである。
【００２８】
而して、締結用具２の締結の仕方は、上例と同様である。即ち、この実施形態の場合は、図８に示されるように、使用者は、先ず、一方の締結用具２ａの輪の中に他方の締結用具２ｂを挿し入れ、次に、一方の締結用具２ａの、解けを防止する部材３の箇所を、他方の締結用具２ｂの輪の中に上から下に向けて挿し込む（図９参照）。
【００２９】
そして、使用者は、解けを防止する部材３の箇所を強く引き、両者を締結する。その後、使用者は、９０度ずらされた位置の締結用具２ｃ、２ｄを同様に操作して両者を締結する（図１０参照）。
【００３０】
また本考案は、図１１に示されるように、締結用具２の端部２１、２１が、袋１の上縁部１ｂに、離された状態で縫い付けられているのでも良い。この場合は、締結用具２の輪が開かれるため、対向位置の締結用具２を輪通しし易くなる、という利点がある。なお、同図において、５は、縫い目である。
【００３１】
更に、本考案は、締結用具２ａ、２ｂを同じ色（例えば赤色）に、また９０度ずらされた位置の締結用具２ｃ、２ｄを別の色（例えば緑色）に着色し、対向位置の締結用具２同士が、同じ色になるよう形成されているのでも良い。
この場合は、結び合わす締結用具２同士を明確化できるから、使い勝手が良くなる、という利点がある。
【符号の説明】
【００３２】
１    袋
１ａ  口
１ｂ  上縁部
２    締結用具
２ａ  一方の締結用具
２ｂ  他方の締結用具
３    解けを防止する部材
【図１】
0003197469.tif 000003
【図２】
0003197469.tif 000004
【図３】
0003197469.tif 000005
【図４】
0003197469.tif 000006
【図５】
0003197469.tif 000007
【図６】
0003197469.tif 000008
【図７】
0003197469.tif 000009
【図８】
0003197469.tif 000010
【図９】
0003197469.tif 000011
【図１０】
0003197469.tif 000012
【図１１】
0003197469.tif 000013